(57)【要約】      （修正有）【課題】風が吹いて着火しにくい状況下でも確実に着火できるようにするだけでなく着火後も激しい燃えを起こすことなく適度の燃えを確保しつつ安全に消炎に導き供え得る状態とすることのできる線香着火用補助具を提供する。【解決手段】縦方向一辺が一定の線香１の長さＬよりも一定寸法長いＡとされ横方向一辺が線香杷を１周を越えて巻き回し可能な寸法Ｂとされた原形が平面矩形をしたアルミ箔製などの外包シート３を主たる本体部材として備えてなる。【選択図】図２
0003209487.tif 000002
【実用新案登録請求の範囲】
【請求項１】
縦方向一辺が一定の線香の長さＬよりも一定寸法長いＡとされ横方向一辺が線香杷を１周を越えて巻き回し可能な寸法Ｂとされた原形が平面矩形をしたアルミ箔製などの外包シートを主たる本体部材として備えてなる線香着火用補助具。
【請求項２】
請求項１に記載のものにおいて、外包シートは、巻き回し時に内面となる面に線香と外包シートとの間に通気隙間をつくる突部が形成されている線香着火用補助具。
【考案の詳細な説明】
【技術分野】
【０００１】  本考案は、線香着火用補助具に関する。
【背景技術】
【０００２】  墓参りをしたとき、線香に火を点けて消しそれを線香立てに差し立てるようにするのが通例であるが、線香に火を点けるとき、往々にして風が吹いて中々点けることができないものである。そうしたことに対処するため特許文献１に係る発明が提案されている。【０００３】
【特許文献１】  特開２００１−８２７４０
【考案の概要】
【考案が解決しようとする課題】
【０００４】  特許文献１に係る発明は、携帯用線香立てについてのもので、上面開口を有する筒状容器と、筒状容器の上面開口に開閉自在に取り付けた蓋体と、筒状容器内にセットしたろうそくを備えるとともに、筒状容器の前面に着火用開口を設け、蓋体には排気口を形成し、蓋を閉じた状態で排気口に向かう気流によってろうそくの炎を安定させ、着火用開口からろうそくの炎に線香を近づけて着火することができるようにしたことを特徴とするもので、線香を水平にした状態でその先端をろうそくの炎に当てることができ、安全でかつ線香が無駄に浪費されることがない上、ろうそくの炎も消えにくい携帯用線香立てを提供することができるとしたものである。
ところが、墓参りをするのに毎回こうした重く嵩張るものを携行するのは大変であり、また線香に着火したあと該線香立てから線香を取り出したあとにはやはり外では風が吹いているため線香は思いのほか燃え上がり炎が大きくなって危険に陥るおそれも多々あった。【０００５】  本考案は、こうした問題を解決しようとするものであり、風が吹いて着火しにくい状況下でも確実に着火できるようにするだけでなく着火後も激しい燃えを起こすことなく適度の燃えを確保しつつ安全に消炎に導き供え得る状態とすることのできる線香着火用補助具を提供することを目的とする。
【課題を解決するための手段】
【０００６】  本考案は上記目的を達成するため、請求項１に記載の考案は、縦方向一辺が一定の線香の長さＬよりも一定寸法長いＡとされ横方向一辺が線香杷を１周を越えて巻き回し可能な寸法Ｂとされた原形が平面矩形をしたアルミ箔製などの外包シートを主たる本体部材として備えてなる。
請求項２に記載の考案は、請求項１に記載のものにおいて、外包シートは、巻き回し時に内面となる面に線香と外包シートとの間に通気隙間をつくる突部が形成されている。
【考案の効果】
【０００７】  上述したように請求項１に記載の考案は、縦方向一辺が一定の線香の長さＬよりも一定寸法長いＡとされ横方向一辺が線香杷を１周を越えて巻き回し可能な寸法Ｂとされた原形が平面矩形をしたアルミ箔製などの外包シートを主たる本体部材として備えてなるので、風が吹いて着火しにくい状況下でも確実に着火できるようにするだけでなく着火後も激しい燃えを起こすことなく適度の燃えを確保しつつ安全に消炎に導き供え得る状態とすることのできる線香着火用補助具を提供することができる。
【図面の簡単な説明】
【０００８】
【図１】  本考案の一実施形態を示す線香着火用補助具を使用した斜視外観図。
【図２】  図１の実施形態の透視説明図。
【図３】  他の実施形態を示す斜視図。
【図４】  線香入り箱セットに補助具を組み入れた様子を示す展開斜視図。
【図５】  補助具についての他の実施形態を示す正面図。
【図６】  補助具についての他の実施形態を示す正面図。
【図７】  他の実施形態を示す斜視図。
【図８】  他の実施形態を示す外観説明図。
【図９】  付加的な提案例を示す原シートの正面図。
【図１０】  図９の原シートを曲げ止めた状態を示す正面図。
【図１１】  図１０の成形品の使用例を示す斜視図。
【図１２】  花立ての供花を夏季の暑さから護るようにした例を示す斜視図。
【考案を実施するための形態】
【０００９】  以下、本考案である線香着火用補助具の一実施形態を図１および図２に基づいて説明する。
これらの図において、１は線香で、まとめて１把程度にしたものを示し、その長さはＬで、例えば、１５ｃｍ前後で外周りは６ｃｍ前後とされている。この線香１は、箱から出したバラの状態のものであったり帯により１杷に作られたもののいずれでもよい。
【００１０】  ３は線香着火用補助具の本体部材である外包シートである。この外包シート３は、縦方向の寸法がＡで、横幅寸法がＢとされており、寸法Ａは、線香１の長さＬ（１５ｃｍ）に上下ｌ（３ｃｍ）ずつを加えた２１ｃｍとされ、寸法Ｂは、前記外周りの６ｃｍに２ｃｍを加えた８ｃｍになっている。前記２ｃｍは少し長い５ｃｍにしてＢを１１ｃｍにしたり、さらに長い１５ｃｍにして２周り（あるいは３周り）状にしたりするのは自由である。長くする程熱が伝わりにくく安全性が上がる。
【００１１】  外包シート３は、寸法Ａは２１ｃｍのもので幅寸法Ｂは１１ｃｍであるが、Ｂは２枚重ね式にしたものにしてもよい。外包シート３は、遮熱・耐熱性の高い超耐熱アルミ箔が用いられる。この外包シート３には、図２に示すように、対をなす面ファスナー４を備え付けておいて巻き回したあとに止め付け得るようにしてもよく、この場合面ファスナー４付き外包シート３が線香着火用補助具となる。面ファスナー４なしの外包シート３のみでも線香着火用補助具を構成することがある。
【００１２】  図１に示すように巻き回した外包シート３と線香１との間には、図１に示すように、僅かではあるが通気隙間５が形成されて下から上へと通気がなされるようになっている。
尚、図１の右欄に示すように、外包シート３の面には、直径３ｍｍなど数ｍｍの周孔６…を多数開けておいて通気口とすることもある。外包シート３はアルミ箔の代わりに透明質などの耐熱性樹脂シートその他を使用することもあり、アルミ箔と樹脂シートとを重合式にする場合もある。
【００１３】  墓参りのときは、１杷見当に線香１…をまとめ、外包シート３を用意してそれを図２のように上下に端内空間７，７があるようにして巻き回して１つの補助具付き線香として一方を下げ気味にしたその一端の端内空間７を通じて図示しないマッチやライターによって線香１に着火をする。
【００１４】  そのとき風が吹いていて線香１に着火しにくい状況下であっても炎が端内空間７内を通じて線香１に着火するので確実に着火ができるだけでなく、着火後の燃え状態も線香１の燃える端部が外包シート３により囲われた状態にあるので大きな燃え上がりを起こすことなく適度の燃えとなり安全であるとともに消炎も直ぐに可能で線香立てに簡単確実にしかも安全に差し込み可能なものとなる。
【００１５】  通気隙間５は適度の通気を促すので、前記のように線香１の燃えを適度にし燃えすぎを防ぐ効果がある。また、線香１は遮熱・耐熱質の外包シート３で包まれた状態にあるので、それをもつ人の手は熱くならず、安全なものとなる。線香１は外包シート３で下端側も包まれているので、そのまま線香立ての中の砂の中に差し込め、その場合、線香立ての中に水が溜まっていたとしても外包シート３が下向きに突き出していて線香１はその奥に引っ込んだところにあるので、水で消えにくいという効果がある。
【００１６】  図３は外包シート３の他の実施形態を示し、この外包シート３は、右上欄のように小さい波形をしたものにし、その線香１との間に通気隙間５が積極的に作られるようにしてもよい。
この外包シート３は、図３の右端欄のように、アコーディオンの蛇腹部のような折り返し式のものにしてもよく、この場合、中が巻かれた折り返し部分に外側に巻かれた折り返し部分が嵌り込む関係で巻き回したあとの外包シート３の状態が内外で引っ掛かり合って着火や線香立てなどをしやすくする。また、折り返し式にすると熱が伝わりにくく持つ手にやけどなどしないようになる。
【００１７】  図４は、線香１…入り箱セットに補助具であるし外包シート３…を組み入れた様子を示す。箱は図の左下側の箱本体１０とそれより右上側に裏返した状態で示した蓋１１とでなり、箱本体１０には長さがＬでバラの状態の多数本の線香１…が入れられるとともに、その前後には着火擦り面１３で擦り着火できるマッチ棒１４…がマッチ入れ１５，１５を介して携帯できるように入れられている。マッチ入れ１５の一方はライター入れとしてもよい。
【００１８】  蓋１１裏には、Ａ×Ｂの寸法の外包シート３…が複数枚重ねて納められ、受留バンド１６で蓋１１裏に収納されていて１枚ずつ取出・使用可能とされている。外包シート３…の使い方については蓋の表に書いて使い方が間違わないようにするが、箱内に別途説明書を入れておくようにしてもよい。この場合の外包シート３は、図１および図２のような平坦シートタイプのものでもよいが、図３のように、小さな波形にしたりアコーディオンの蛇腹部のような折り返し式のものにしてもよい。
【００１９】  図５は外包シート３の他の実施形態を示すもので、横断面が右欄上側のような折り返し型あるいは下側のような小波形をしたものであって、特に、それらの突出稜線ａが縦向き辺に対し３０度前後斜め交差する角度関係となったものである。突出稜線が図３のように長手辺に平行でなく斜め向きになる場合もあることを例示している。
【００２０】  図６は外包シート３の他の実施形態を示すもので、横断面が図５の右欄のような折り返し型あるいは小波形をしたものであって、特に、それらの突出稜線ｂが正面からみて波形をしていたり折り返し型をなすものとされている。
図７のように外包シート３は丸形の凹凸ｃ…が形成されたものになっている。凹凸ｃ、ｃ間が通気隙間５…となり、また凹凸ｃ…が設けられているので手で持っても熱くなりにくいものである。
【００２１】  図８は外包シート３の他の実施形態を示すもので、図２の仮想線のような矩形（Ａ×Ｂ）をしたアルミ箔を潰して図８の左欄のように塊状にしそれを図８の右欄のように元の矩形に戻るように大きく拡げて１枚の外包シート３を形成したものであり、こうした不規則な凹凸をもつ外包シート３であるからそれで包まれた線香からの熱が手指に伝わりにくくしかも通気隙間も多く存在して適度の燃えも作られるものとなる。
尚、外包シート３は１本あるいは数本のローソクを包むために同様に使用して火災予防になるようにしてもよい。
【００２２】  図９ないし図１１は付加的な提案例の一つを示すもので、２０は原シートで、その正方形のコーナーを結ぶ線上にはＸ字をなすように角から部分切り込み２１を入れ、その中央部分２２は正方形状にしてその中央に中心孔２３付きの中央リング板２４を貼り付けてなる。そして、原シート２０の外周部分には、経文２６が施されるとともに、中央部分２２には「感謝」の言葉や個人の戒名、供養者名、願望の言葉、祈願の言葉２７…などを記しておくものとする。
【００２３】  そうした原シート２０を図１０のように４個所の部分切り込み２１の切り込み一方部分を中央部分２２の方向に向けて羽根２９を形成するように曲げ形成して糊付けをし、そうして形成した風車を中央孔２３に端軸３０が差し込まれるようにして起き上がり式錘３１付き風車スタンド３２に回転自在に取り付けるものとする。
【００２４】  図１２は墓参時に花立て４１に備わった供花４２が夏季の暑さから護られるようにした付加的な提案例を示すもので、夏季にあっては花立て４１が熱くなるとともにその中に注ぎ入れた水も蒸発してしまって供えた花４２は直ぐに枯れてしまっていた。そこで、本提案は、花立て４１の周りを囲いさらに花立て４１よりも上向きにｈ（５ないし１０ｃｍ）程立ち上がるようなアルミ箔製の花守り４３を備えることによって、花立て４１自身が熱くなることを押さえるとともに上部内空間の温度が下がるようにして、花４２が枯れにくく永く持ち堪えるように工夫したものである。
この花守り４３には、前面上部に通覧口４４を開けておいて中の花４２の様子が分かるようにしたり、「感謝」の言葉や花４２が枯れても代わりになるような花模様を装ったりすることができる。
【符号の説明】
【００２５】  １…線香  ３…外包シート  ５…通気隙間  ７…端内空間。
【図１】
0003209487.tif 000003
【図２】
0003209487.tif 000004
【図３】
0003209487.tif 000005
【図４】
0003209487.tif 000006
【図５】
0003209487.tif 000007
【図６】
0003209487.tif 000008
【図７】
0003209487.tif 000009
【図８】
0003209487.tif 000010
【図７】
0003209487.tif 000011
【図８】
0003209487.tif 000012
【図９】
0003209487.tif 000013
【図１０】
0003209487.tif 000014
【手続補正書】
【提出日】平成29年1月27日(2017.1.27)
【手続補正２】
【補正対象書類名】図面
【補正対象項目名】全図
【補正方法】変更
【補正の内容】
【図１】
0003209487.tif 000015
【図２】
0003209487.tif 000016
【図３】
0003209487.tif 000017
【図４】
0003209487.tif 000018
【図５】
0003209487.tif 000019
【図６】
0003209487.tif 000020
【図７】
0003209487.tif 000021
【図８】
0003209487.tif 000022
【図９】
0003209487.tif 000023
【図１０】
0003209487.tif 000024
【図１１】
0003209487.tif 000025
【図１２】
0003209487.tif 000026